(57)【要約】【課題】  従来、吹出口の横に、使用者に運転状態を知らせる為の表示部が設けられると、吹出口の一側を表示部まで延伸することができなかった。そのため、上下風向板は吹出口に合わせ、表示部と反対側に片寄った配置になっていた。また、ディフューザも、この上下風向板の配置に合わせて、表示部と反対側に片寄った配置となっていた。その為、ディフューザが本体に対して片側に偏って見えることになり、意匠性を損ねた印象を持たれる問題があった。【解決手段】  本発明は、上記問題を解決する為に、表示部の下部に収容部を設け、ディフューザが収容部まで延伸され、ディフューザを閉じた時、ディフューザの延伸部分が収容部に収まるようにした。これにより、ディフューザが本体に対し一側に片寄って配置されることはなく、意匠性を高めることができる。【選択図】  図２
2012149809.tif 000002
【特許請求の範囲】
【請求項１】
少なくとも吸込口と吹出口とを有する本体と、
前記吸込口から空気を吸込んで、前記吹出口に送風する送風ファンと、
前記送風ファンを経由して前記吹出口に至る送風路の下部先端に回動可能に設けられ、前記吹出口の開口を変更するディフューザと、
前記吹出口に回動可能に設けられ、風向を偏向する上下風向板と、
前記吹出口の一側に使用者に運転状況を知らせる表示部と、
を備えた空気調和機であって、
前記表示部の下部に、前記吹出口の右側面と連続して、凹状に形成された収容部を、同収容部の右側面と前記本体底面の右側面までの距離が、前記吹出口の左側面と前記本体底面の左側面までの距離と同じになるように形成し、
前記ディフューザの一端を前記収容部まで延伸してなることを特徴とする空気調和機。
【請求項２】
前記上下風向板と前記ディフューザは、前記吹出口の両側面に軸支されることを特徴とする請求項１に記載の空気調和機。
【請求項３】
前記ディフューザは、二つの部材を組み合わせて構成され、
前記収容部と接する面まで延伸させた部分は、前記収容部の形状に合わせて形成されていることを特徴とする請求項１または２に記載の空気調和機。
【発明の詳細な説明】
【技術分野】
【０００１】
本発明は、吹出口に備えられたディフューザを本体に対して一側に片寄らないように配置することで、違和感を無くし意匠性を高めた空気調和機に関するものである。
【背景技術】
【０００２】
従来の空気調和機として、文献１に示すようなものがある。この文献１に開示されている空気調和機では、図６に示すように、吹出口３から送風される空気の風向を変えるための上下風向板１１を吹出口３に設けている。また、送風路の下壁の一部を構成し、吹出口３の開口を変えるためのディフューザ１０も上下風向板１１と同様に、吹出口３に設けている。
【０００３】
【特許文献１】特開平７-２２５０４６号公報
【発明の概要】
【発明が解決しようとする課題】
【０００４】
しかしながら、吹出口の横には、使用者に運転状態を知らせる為の表示部が設けられていることから、吹出口の一側を表示部まで延伸することができず、上下風向板は、吹出口に合わせ、表示部と反対側に片寄った配置となっている。また、ディフューザも、この上下風向板の配置に合わせて、表示部と反対側に片寄った配置となっている。その為、使用者が下から見上げた時に、ディフューザが本体に対して片側に偏って見えることになり、意匠性を損ねた印象を持たれる問題があった。
【０００５】
そこで、本発明は、吹出口の横に表示部を設けた場合においても、意匠性を損なうことのない空気調和機を提供することを目的とする。
【課題を解決するための手段】
【０００６】
上記目的を達成する為に、本発明の空気調和機は、少なくとも吸込口と吹出口とを有する本体と、前記吸込口から空気を吸込んで、前記吹出口に送風する送風ファンと、前記送風ファンを経由して前記吹出口に至る送風路の下部先端に回動可能に設けられ、前記吹出口の開口を変更するディフューザと、前記吹出口に回動可能に設けられ、風向を偏向する上下風向板と、前記吹出口の一側に使用者に運転状況を知らせる表示部と、を備えた空気調和機であって、前記表示部の下部に、前記吹出口の右側面と連続して、凹状に形成された収容部を、同収容部の右側面と前記本体底面の右側面までの距離が、前記吹出口の左側面と前記本体底面の左側面までの距離と同じになるように形成し、前記ディフューザの一端を前記収容部まで延伸してなることを特徴とする空気調和機。また、前記上下風向板と前記ディフューザは、前記吹出口の同じ側面に軸支される。さらに、前記ディフューザは、二つの部材を組み合わせて構成され、前記収容部と接する面まで延伸させた部分は、前記収容部の形状に合わせて形成されている。
【発明の効果】
【０００７】
本発明の空気調和機においては、ディフューザが表示部の下部まで延伸され、ディフューザを閉じた時、ディフューザの延伸部分が収容部に収まるようにしているので、ディフューザが本体に対し一側に片寄って配置されることはなく、意匠性を高めることができる。さらに、本発明のディフューザは、二つの部品を組み合わせることで強度を強くし、回動した時に変形することのないようにしている。
【図面の簡単な説明】
【０００８】
【図１】本発明における空気調和機を下から見た斜視図である。
【図２】本発明における空気調和機の斜視図である。
【図３】本発明における空気調和機の断面図である。
【図４】本発明における空気調和機のディフューザの斜視図である。
【図５】本発明における空気調和機のディフューザの分解斜視図である。
【図６】従来発明における空気調和機の斜視図である。
【発明を実施するための形態】
【０００９】
本発明の空気調和機では、ディフューザを本体に対して一側に片寄らないように表示部の下部まで延伸することで、意匠性を高めた。
【００１０】
以下、本発明の実施の形態における空気調和機について、図１ないし図６を基に説明する。
【００１１】
図１、図２、図３に示すように、本体１の前面上部および上部には吸込口（２a、２b）が形成され、前面下部には吹出口３が形成されている。前面上部の吸込口２bの前面には、前面パネル４が開閉自在に取付けられている。本体１内には、熱交換器５と送風ファン６とが配置されている。吸込口（２a、２b）から吸い込まれた空気は、熱交換器５で熱交換され、送風ファン６により吹出口３から室内に吹き出される。この吹出口３の両側には、ダミー部（７a、７b）を吹出口３の両側面と連続して設けている。吹出口３からダミー部（７a、７b）を除いた部分が実開口部であり、送風ファン６が送風した空気が主に流れる送風路となる。
【００１２】
吹出口３には、上下風向板１１と、ディフューザ１０が備えられている。上下風向板１１は吹出空気の風向を上下に偏向するものであり、ディフューザ１０は吹出口３の下部にあり送風路の一部を構成するもので、送風路の下部先端に設けられて、吹出口３の開口を変更するものである。図３に示すように、実線で示すディフューザ１０は、冷房運転時を示しており、先端を下方に回動することで吹出口の開口面積を大きくし、吹出口を開口することで、空気を水平に吹出すことができる。暖房運転時は、ディフューザ１０の先端をさらに下方に回動することで、冷房運転時よりも開口面積を更に大きくし、空気を下方に吹出すことができる。
【００１３】
吹出口３の右隣には、表示部８が設けられている。この表示部８は、使用者に運転状態などを知らせる為のものである。この表示部８の下部には吹出口３の右側面と連続して、凹状に形成された収容部９が設けられている。この収容部９は、収容部９の右側面と本体１底面の右側面までの距離が、吹出口３の左側面と前記本体１底面の左側面までの距離と同じになるように形成されている。また、この収容部９は、ディフューザ１０を閉じた時に、後述するディフューザ１０の延伸部が収まる形状となっており、図３の点線で示すように、収容された状態において、本体１の底面が面一となるようになっている。
【００１４】
上下風向板１１は、板状の形状をしており、吹出口３と同じ幅を有している。この上下風向板１１の幅方向の中央には、孔形状の係止部（１９b、１９c）を設けている。この係止部（１９b、１９c）は、送風路の上壁に設けられた支持腕（１２a、１２b）の下端にある軸部に軸支させる為のものである。また、上下風向板１１の両端には、孔形状の係止部（１９d、１９a）も設けている。この係止部１９dは、ダミー部７bの右側面にある軸状の取付部１３に軸支する為のものである。係止部１９aも同様に、ダミー部７aの左側面にある軸状の取付部（図示しない）に軸支する為のものである。上下風向板１１にある係止部（１９a、１９b、１９c、１９d）を吹出口３の両側面にある取付部１３および吹出口３内にある支持腕（１２a、１２b）に軸支させることで、上下風向板１１を回動可能に支持することができる。これにより、吹出口から吹出される空気の風向を偏向することが可能となっている。
【００１５】
ディフューザ１０は、送風路の一部を構成するものである。図４に示すように、ディフューザ１０は、送風路の風上側の端部に、上下風向板１１と同様に、係止部（１５a、１５b、１５c、１５d）を備えている。係止部（１５b、１５c）は孔形状をしており、送風路の上壁と下壁とを連結する支柱（１４a、１４b）の下端にある軸部に軸支させる為のものである。係止部１５dは孔形状をしており、ダミー部７bの右側面にある軸状の取付部１６に軸支する為のものである。係止部１５aは軸形状で、ダミー部７aの左側面にある孔形状の取付部（図示しない）に軸支するためのものである。この係止部（１５a、１５b、１５c、１５d）を、吹出口３の両側面にある取付部１６および吹出口３内にある支柱（１４a、１４b）の下端にある軸部に軸支させることで、ディフューザ１０は回動可能に支持される。これにより、吹出口３の開口面積を変更することが可能となる。
【００１６】
また、ディフューザ１０は、送風路の一部を構成している部分１０aと、表示部８の下部にある収容部９まで延伸した部分１０bを有している。１０aの部分と１０bの部分とでは、厚さを異ならせ、１０bの部分を収容部９の形状に合わせて薄く形成している。これは、収容部９の裏には電装品箱があり、電装品箱の形状に合わせて、収容部が形作られているからである。ディフューザ１０を閉じた時、延伸した部分１０bが収容部９に収容され、本体１の下面は面一となり、下から見上げた時の意匠性を高めている。
【００１７】
このディフューザ１０は上下風向板１１と同じダミー部（７a、７b）の側面に軸支されている為、延伸された部分１０bが板状である場合、延伸部分１０bが変形するなどの問題が発生する。その為、変形しない程度の強度を延伸部分１０bに持たせる必要がある。このために、図４と図５に示すように、ディフューザ１０は、上部品１７と下部品１８を組み合わせる二重構造としている。これにより、延伸された部分も二重構造となり、変形しない強度となる。
【００１８】
ディフューザ１０は、上部品１７と下部品１８を、図５に示すように対向させ、下部品１８に設けられた引掛け部を上部品１７の係止部（図示しない）に係止することで一体に組み立てられる。
【符号の説明】
【００１９】
１  本体
２a  上面吸込口
２b  前面上部吸込口
３  吹出口
４  前面パネル
５  熱交換器
６  送風ファン
７a、７b  ダミー部
８  表示部
９  収容部
１０  ディフューザ
１１  上下風向板
１２a、１２b  支持腕
１３  取付部
１４a、１４b  支柱
１５a、１５b、１５c、１５d  係止部
１６  取付部
１７  上部品
１８  下部品
１９a、１９b、１９c、１９d  係止部
【図１】
2012149809.tif 000003
【図２】
2012149809.tif 000004
【図３】
2012149809.tif 000005
【図４】
2012149809.tif 000006
【図５】
2012149809.tif 000007
【図６】
2012149809.tif 000008